(57)【要約】【課題】  過度の充電或いは放電を防止する回路構造の下で、デジタルカメラのような設備を正常に起動して該設備の関係装置（例えばデジタルカメラのレンズ駆動モータ）が保護回路起動により作用しなくなるのを防止する二次電池回路装置の提供。【解決手段】  電池本体充電回路装置に検出保護回路と充放電回路が設けられ、検出保護回路に保護ＩＣと保護回路スイッチが設けられ、上述の充放電回路に電圧安定化ＩＣと該電圧安定化ＩＣに接続された電圧安定化回路スイッチが設けられ、上述の電圧安定化ＩＣが電池本体の電圧を安定させて設定値となし、電池本体に供給される電圧が設定値より低い時に上述の電圧安定化回路スイッチを導通させる。【選択図】        図６
0003102496.tif 000002
【実用新案登録請求の範囲】
【請求項１】
電池本体充電回路装置に検出保護回路と充放電回路が設けられ、検出保護回路に保護ＩＣと保護回路スイッチが設けられ、上述の充放電回路に電圧安定化ＩＣと該電圧安定化ＩＣに接続された電圧安定化回路スイッチが設けられ、上述の電圧安定化ＩＣが電池本体の電圧を安定させて設定値となし、電池本体に供給される電圧が設定値より低い時に上述の電圧安定化回路スイッチを導通させることを特徴とする、二次電池回路装置。
【請求項２】
請求項１記載の二次電池回路装置において、電圧安定化ＩＣが電池本体の電圧を３．０ボルトに設定することを特徴とする、二次電池回路装置。
【請求項３】
請求項１記載の二次電池回路装置において、二次電池回路装置が電池本体に放電させる負荷に接続されたことを特徴とする、二次電池回路装置。
【請求項４】
請求項３記載の二次電池回路装置において、上述の負荷が携帯式電子設備の関係部品とされたことを特徴とする、二次電池回路装置。
【請求項５】
請求項３記載の二次電池回路装置において、上述の負荷がデジタルカメラのレンズ駆動モータとされたことを特徴とする、二次電池回路装置。
【考案の詳細な説明】
【技術分野】
【０００１】
本考案は一種の二次電池回路装置に係り、特にデジタルカメラのような携帯式電子設備に使用されるリチウム電池に適用され、過度の充電或いは放電を防止する回路構造の下で、更に設備関係装置（例えばデジタルカメラのレンズ）が保護回路の起動により作用しなくなるのを防止する、二次電池回路装置に関する。
【背景技術】
【０００２】
現在のほとんどの携帯式電子設備は、二次電池を電源としており、二次電池はニッケルカドミウム電池、ニッケル水素電池及びリチウム電池に大きく分けられる。そのうち、ニッケルカドミウム電池中のカドミウムは環境汚染を形成しやすく、ニッケル水素電池は温度の影響を受けやすく、リチウム電池はエネルギー密度が高く、寿命が長いため、広く各種の携帯式電子設備に使用されている。
【０００３】
ただし、リチウム電池の出力電圧は比較的高く（約３．６ボルト）、リチウム電池を電源とすると負荷が電圧過高により損壊することがある。このため、出力電圧を制御できる二次電池装置が必要となる。
【０００４】
図１は周知の過度の充電と過度の放電を防止する二次電池装置であり、それは、リチウム電池が二つ並列に接続された電池本体１０に相互に並列に接続された検出保護回路１１が設けられ、並びに電池本体１０のプラス、マイナス極がリチウム電池の導電部と接続されて負荷１２との接続に供され、電池本体１０による電力供給目的を達成する。上述の負荷１２はまた充電器に置き換え可能で、充電回路１３を組み合わせて電池本体１０に充電を行なう。
【０００５】
上述の回路装置中、過度の充電或いは過度の放電を防止するため、検出保護回路１１に保護ＩＣの回路スイッチ１４が設けられ、それは、スイッチ内部に二つのＭＯＳＦＥＴ１５、１６が設けられている。その動作原理は、過度充電時に、電池本体１０の電圧が設定値（例えば４．２５ボルト）を超過したことを検出する時、そのうち一つのＭＯＳＦＥＴ１５が導通し、もう一つのＭＯＳＦＥＴ１６が切断され、これにより充電器が電池本体１０に対する充電を停止する。リチウム電池に負荷１２が接続されて過度に放電する時、電池本体１０の電圧が設定値（例えば２．３ボルト）より低いことを検出すると、ＭＯＳＦＥＴ１６が導通し、もう一つのＭＯＳＦＥＴ１５が切断され、電池本体１０が電力供給を停止し、過度放電保護の機能を達成する。
【０００６】
上述の二次電池装置を携帯式電子設備（例えばデジタルカメラ）の関係部品（例えばデジタルカメラのレンズ駆動モータ）に使用する時、却って弊害を発生しうる。図２に示されるように、上述の回路構造をデジタルカメラに接続されたレンズ駆動モータ１７に使用する時、電池本体１０の電圧が設定値より低くなる状況で、上述の回路が電池本体１０に電力供給を停止させ、このため既に開かれたデジタルカメラレンズを閉じることができなくなる状況が発生する。
【考案の開示】
【考案が解決しようとする課題】
【０００７】
本考案の主要な目的は、一種の二次電池回路装置を提供することにあり、それはデジタルカメラの類の携帯式電子設備に使用されて、過度充電或いは放電を防止する回路構造下で、さらに設備関係装置の、保護回路の起動による作用喪失を防止するものである。
【課題を解決するための手段】
【０００８】
請求項１の考案は、電池本体充電回路装置に検出保護回路と充放電回路が設けられ、検出保護回路に保護ＩＣと保護回路スイッチが設けられ、上述の充放電回路に電圧安定化ＩＣと該電圧安定化ＩＣに接続された電圧安定化回路スイッチが設けられ、上述の電圧安定化ＩＣが電池本体の電圧を安定させて設定値となし、電池本体に供給される電圧が設定値より低い時に上述の電圧安定化回路スイッチを導通させることを特徴とする、二次電池回路装置としている。
請求項２の考案は、請求項１記載の二次電池回路装置において、電圧安定化ＩＣが電池本体の電圧を３．０ボルトに設定することを特徴とする、二次電池回路装置としている。
請求項３の考案は、請求項１記載の二次電池回路装置において、二次電池回路装置が電池本体に放電させる負荷に接続されたことを特徴とする、二次電池回路装置としている。
請求項４の考案は、請求項３記載の二次電池回路装置において、上述の負荷が携帯式電子設備の関係部品とされたことを特徴とする、二次電池回路装置としている。
請求項５の考案は、請求項３記載の二次電池回路装置において、上述の負荷がデジタルカメラのレンズ駆動モータとされたことを特徴とする、二次電池回路装置としている。
【考案の効果】
【０００９】
本考案の二次電池回路装置は、デジタルカメラの類の携帯式電子設備に使用されて、過度充電或いは放電を防止する回路構造下で、さらに設備関係装置の、保護回路の起動による作用喪失を防止する。
【考案を実施するための最良の形態】
【００１０】
本考案は、電池本体充電回路装置に検出保護回路と充放電回路が設けられ、検出保護回路に保護ＩＣと保護回路スイッチが設けられ、上述の充放電回路に電圧安定化ＩＣと該電圧安定化ＩＣに接続された電圧安定化回路スイッチが設けられ、上述の電圧安定化ＩＣが電池本体の電圧を安定させて設定値となし、電池本体に供給される電圧が設定値より低い時に上述の電圧安定化回路スイッチを導通させ、これにより電池本体にフルパワー出力させて携帯式電子設備の関係部品を駆動させる。
【実施例１】
【００１１】
図３に示されるように、本考案の二次電池２０充電回路装置には、検出保護回路２１と充放電回路２２が設けられている。検出保護回路２１に保護ＩＣ  Ｕ１と保護回路スイッチＱ１が設けられ、上述の充放電回路２２に電圧安定化ＩＣ  Ｕ２と該電圧安定化ＩＣ
Ｕ２に接続された電圧安定化回路スイッチＱ２が設けられ、上述の電圧安定化ＩＣ  Ｕ２が電池本体２０の電圧を安定させて設定値（例えば３．０ボルト）となす。
【００１２】
図４に示されるように、本考案の上述の回路装置を充電器２３による充電に使用する時、保護ＩＣ  Ｕ１がＢ＋、Ｂ−を検出し、電池本体２０の電圧が設定値（例えば４．２５ボルト）を超過する時、保護回路スイッチＱ１が切断（ｃｕｔｔ  ｏｆｆ）され、充電器２３の電池本体２０に対する過度の充電が防止される。
【００１３】
図５に示されるように、本考案の上述の回路装置を負荷２４に接続して放電或いは短絡を形成する時、保護ＩＣ  Ｕ１がＢ＋、Ｂ−を検出し、電池本体２０の電圧が設定値（例えば２．２５ボルト）より低くなる時、保護回路スイッチＱ１が切断（ｃｕｔｔ  ｏｆｆ）され、電池本体２０の過度放電が防止される。
【００１４】
図６に示されるように、本考案の電池本体２０が上述の状態で放電する時、電圧安定化回路スイッチＱ２が切断され、電池本体２０は電圧安定化ＩＣ  Ｕ２により設定値（例えば３．０ボルト）とされる。この装置は、携帯式電子設備の関係部品（例えばデジタルカメラのレンズ駆動モータ２５）に使用され、放電により電池本体２０の電圧が設定値（３．０ボルト）より低くなる時、電圧安定化回路スイッチＱ２が導通し、電池本体２０がフルパワー出力して携帯式電子設備の関係部品（例えばデジタルカメラのレンズ駆動モータ２５）を駆動する。
【００１５】
上述のデジタルカメラのレンズ駆動モータ２５を例に挙げると、従来の技術によると、開かれて閉合不能であったレンズが順調に閉合される。
【００１６】
本考案の上述の装置は、過度充電或いは放電を防止する回路構造下で、電圧を安定させてカメラの起動不能、正常運転不能、さらにはカメラの回路破壊の状況を防止し、さらに設備関係装置の保護回路起動による作用喪失を防止する。
以上の実施例は本考案の実施範囲を制限するものではなく、本考案に基づきなしうる細部の修飾或いは改変は、いずれも本考案の請求範囲に属するものとする。
【図面の簡単な説明】
【００１７】
【図１】周知の過度充電及び過度放電を防止する二次電池装置回路構造図である。
【図２】図１がデジタルカメラのレンズ駆動モータに接続された回路図である。
【図３】本考案の実施例の回路図である。
【図４】図３が充電器に接続された回路図である。
【図５】図３が負荷に接続された回路図である。
【図６】本考案がデジタルカメラのレンズ駆動モータに接続された回路図である。
【符号の説明】
【００１８】
２０  電池本体                        ２１  検出保護回路
２２  充放電回路                      ２３  充電器
２４  負荷                            ２５  レンズ駆動モータ
Ｕ１  保護ＩＣ                        Ｕ２  電圧安定化ＩＣ
Ｑ１  保護回路スイッチ                Ｑ２  電圧安定化回路スイッチ
【図１】
0003102496.tif 000003
【図２】
0003102496.tif 000004
【図３】
0003102496.tif 000005
【図４】
0003102496.tif 000006
【図５】
0003102496.tif 000007
【図６】
0003102496.tif 000008